(57)【要約】【課題】長時間にわたって低温を保つことが可能なペット用クールボードを提供する。【解決手段】ボード本体１の下面１ａには複数の凸条２が設けられると共に、ボード本体１の縁部の折り曲げ部１ｃに４つの脚部３が設けられている。脚部３の間に外気と通じる開口部４が形成されている。ペット用クールボードを床面等の接地面上に接地した状態では、凸条２の高さｈは、脚部３の高さＨより小さいので、凸条２の下面が接地面に接触することがない。このため、接地面と下面１ａとの間に連続した１つの空間５が形成され、空間５は開口部４を通じて外気と連通しているので、ボード本体１にペットを載せた場合、ペットの体温による熱が空間５にこもることがなく、速やかに外気に逃すことができる。【選択図】        図１
0003121950.tif 000002
【実用新案登録請求の範囲】
【請求項１】
熱伝導性の高い材質からなるボード本体と、前記ボード本体の下面に一体的に形成された複数の凸部と、脚部とを有すること
を特徴とするペット用クールボード。
【請求項２】
熱伝導性の高い材質からなるボード本体と、前記ボード本体の下面に一体的に形成された複数の凸部と、脚部とを有し、
前記脚部が接地している状態において、前記凸部は接地しない構成としたこと
を特徴とするペット用クールボード。
【請求項３】
前記複数の凸部は、互いに略平行に設けられた凸条であることを特徴とする請求項１又は請求項２に記載のペット用クールボード。
【請求項４】
前記凸条は、切欠部を有する構成としたことを特徴とする請求項３に記載のペット用クールボード。
【請求項５】
前記ボード本体の接地面からの高さは、中央部が低く、縁部に向って漸次高くなる構成としたことを特徴とする請求項１乃至請求項４のうち、いずれか１に記載のペット用クールボード。
【請求項６】
前記脚部は、合成樹脂により構成したことを特徴とする請求項１乃至請求項５のうち、いずれか１に記載のペット用クールボード。
【請求項７】
前記脚部は、前記ボード本体の縁部が下方に折り曲げられて一体的に設ける構成としたことを特徴とする請求項１乃至請求項５のうち、いずれか１に記載のペット用クールボード。
【請求項８】
前記凸部は、その一部のみが接地可能に形成されることによって、前記脚部を前記凸部と一体的に設ける構成としたことを特徴とする請求項１乃至請求項５のうち、いずれか１に記載のペット用クールボード。
【請求項９】
前記脚部は、前記ボード本体の縁部の下面側に複数設けられていることを特徴とする請求項１乃至請求項８のうち、いずれか１に記載のペット用クールボード。
【請求項１０】
前記ボード本体は、アルミニウムにより構成されることを特徴とする請求項１乃至請求項９のうち、いずれか１に記載のペット用クールボード。
【請求項１１】
前記複数の凸部は、複数の突起からなることを特徴とする請求項１乃至請求項１０のうち、いずれか１に記載のペット用クールボード。
【考案の詳細な説明】
【技術分野】
【０００１】
本考案は、犬、猫、その他の小動物等のペットをボード本体に載せてペットにひんやりとした清涼感を与えるためのペット用クールボードに関するものである。
【背景技術】
【０００２】
犬や猫などのペットを飼育する場合において、夏場のような熱い環境下でいかにしてペットにとって快適な温度環境を提供するかということが課題とされている。冷房装置によって室温を下げる方法もあるが、冷気は下に、暖気は上に集まる特性があるため、飼い主が気付かないままにペットにとっては寒すぎる温度環境となってしまうことも多く、ペットの体調不良の原因ともなるおそれがある。そこで、冷房装置によらずに自然な温度環境下で快適な温度環境を提供するものとして、ペット用のクールマットが種々提案されている。
【０００３】
従来のペット用クールマットとしては、吸水性ポリマーを通水袋に水と共に充填したものを冷却媒体として用いるもの等が提案されている（例えば、特許文献１参照）。しかしながら冷却媒体を用いているため、高価になり、また、冷却媒体の冷却効果がなくなるまで温まってしまった後は、冷やし直すこと、又は別途冷やしておいた冷却媒体と交換する必要があり、多くの手間を要するという問題があった。
【０００４】
一方、冷却媒体を用いない構成のものとしては、特許文献２に示すようなものが提案されている。このペット動物用クーラーボードは、アルミニウム板の上面に凹凸を形成し、この凹凸の上にペットを載せるようにしたものである。このような構成としたことによって、アルミニウム板とペットの体との接触面積が大きくなるため、ペットの体温をより吸収しやすくしたものである。
【０００５】
【特許文献１】特開平１１−３２６０６５号公報
【特許文献２】特許第３６１８３２７号公報
【考案の開示】
【考案が解決しようとする課題】
【０００６】
しかしながら、特許文献２に開示されているペット動物用クーラーボードは、ペットが載る上面側に凹凸を形成し、ペットの体との接触面積が大きくなるがゆえに、ペットの体が接している部分には熱がこもりやすく、十分な放熱効果が得られ難い。また、ペットが載る上面側に凹凸があることによって、その凹凸の高さは、ペットに不快感を与えない範囲で設定せざるを得ず、十分な放熱効果が得られ難い。さらに、ペットが載ることによって最も汚れやすい上面側に前記凹凸を設けているため、その高さを低く設定したとしても、洗い残しが生じやすいものであった。
【０００７】
また、特許文献２に開示されているペット動物用クーラーボードには、脚部がないので、アルミニウム板を直接床等の接地面に接地することになるが、このためアルミニウム板と接地面との間にペットの体温による熱が溜まってしまい、アルミニウム板が温まりやすく冷めにくく、ペットに対して長い時間にわたり清涼感を与えることが難しかった。
【０００８】
本考案は上記の実情に鑑みなされたもので、長時間にわたって低温を保つことが可能なペット用クールボードを提供することを目的とするものである。
【課題を解決するための手段】
【０００９】
本考案によるペット用クールボードは、熱伝導性の高い材質からなるボード本体と、前記ボード本体の下面に一体的に形成された複数の凸部と、脚部とを有することを特徴とする。
【００１０】
また、本考案によるペット用クールボードは、熱伝導性の高い材質からなるボード本体と、前記ボード本体の下面に一体的に形成された複数の凸部と、脚部とを有し、前記脚部が接地している状態において、前記凸部は接地しない構成としたことを特徴とする。
【００１１】
また、本考案によるペット用クールボードの前記複数の凸部は、互いに略平行に設けられた凸条であることを特徴とする。
【００１２】
また、本考案によるペット用クールボードの前記凸条は、切欠部を有する構成としたことを特徴とする。
【００１３】
また、本考案によるペット用クールボードの前記ボード本体の接地面からの高さは、中央部が低く、縁部に向って漸次高くなる構成としたことを特徴とする。
【００１４】
また、本発考案によるペット用クールボードの前記脚部は、合成樹脂により構成したことを特徴とする。
【００１５】
また、本考案によるペット用クールボードの前記脚部は、前記ボード本体の縁部が下方に折り曲げられて一体的に設ける構成としたことを特徴とする。
【００１６】
また、本考案によるペット用クールボードの前記凸部は、その一部のみが接地可能に形成されることによって、前記脚部を前記凸部と一体的に設ける構成としたことを特徴とする。
【００１７】
また、本考案によるペット用クールボードの前記脚部は、前記ボード本体の縁部の下面側に複数設けられていることを特徴とする。
【００１８】
また、本考案によるペット用クールボードの前記ボード本体は、アルミニウムにより構成されることを特徴とする。
【００１９】
また、本考案によるペット用クールボードの前記複数の凸部は、複数の突起からなることを特徴とする。
【考案の効果】
【００２０】
本考案によれば、複数の凸部をボード本体の下面に形成したので、前記凸部はペットと触れ合うことがなく、ボード本体の上面からペットの熱を吸収して、下面の凸部から十分に放熱でき、長時間にわたってペットに対して清涼感を与えることができる。また、前記凸部がボード本体の下面に形成されてペットと触れ合うことがないために、前記凸部の存在によってペットに不快感を与えることは一切なく、放熱の効率がよい寸法で凸部を自由に形成することができる。さらに、放熱部はボード本体の下面であるから、上面は放熱のための機構を特段設ける必要がなくなり、例えば、ボード本体をフラットな面で構成しておけば、洗い残しの原因となる部分がなくなるため、清掃作業を簡単に行うことができる。また、凸部は、ボード本体の下面に一体的に形成されているので、ボード本体の上面でペットから吸収した熱の伝導が遮断されずに直接的に前記凸部に伝わるので、さらに放熱の効率を向上させることができる。
【００２１】
また、凸部は接地しない構成としたので、ボード本体下面側の空間の空気循環がよくなり、放熱のための凸部が常に冷えた空気に接して放熱可能となる結果、ボード本体が常に低温に保たれるので、ペットに長時間快適な清涼感を与えることができる。
【００２２】
また、複数の凸部を互いに平行な複数の凸条としたので、ボード本体と一体的な成形が容易となり、安価に提供することができると共に、複数の凸条によりボード本体が補強され、堅固なものにすることができる。さらに、凸条に切欠部を設けたことにより、放熱部としての凸部の表面積が増えてさらに放熱効果を向上させることができる。
【００２３】
また、ボード本体の接地面からの高さは、中央部が低く、縁部に向って漸次高くなる構成としたことにより、ボード本体下面側の空間へ前記縁部から冷えた空気が入りやすくなり、また、冷気は下に暖気は上に集まる特性ともあいまって、ボード本体下面側の空間の空気循環がさらに向上されるとともに、特に全体として略皿状とした場合には、ペットの体の収まりがよくなる。
【００２４】
また、脚部を合成樹脂により構成したため、接地面を傷めることがない。また、ボード本体の縁部を下方に折り曲げることにより、脚部がボード本体と一体形成されることにより、該脚部自体から周囲の空気や接地面に対して放熱されることになり、放熱の効率を向上させることができるとともに、製造工程の短縮を図ることができる。また、凸部の一部が接地可能に形成することによって、凸部と脚部とを兼ね、接地面に対して直接放熱されることになり、放熱の効率を向上させることができる。また、脚部をボード本体の縁部に複数設けられることによって、ボード本体下面側の空間が閉塞されることなく開放的になるので、該空間の空気循環がさらに向上される。
【００２５】
また、ボード本体に熱伝導性に優れかつ安価なアルミニウムを用いることにより、ペットに対して好適な冷却効果を得ることができる。
【００２６】
また、複数の凸部を複数の突起としたことにより、放熱部としての凸部の表面積がさらに大きくなり、さらに放熱効果を増すことができる。
【考案を実施するための最良の形態】
【００２７】
以下、本考案の実施の形態を図面と共に説明する。
【００２８】
図１は、本考案の第１の実施の形態によるペット用クールボードの外観斜視図、図２は、裏側から見た斜視図、図３は正面図である。
【００２９】
図１、図２及び図３において、本考案によるペット用クールボードは、略四角形状を呈するボード本体１を有し、上面１ｂは平滑面で構成されており、下面１ａには、複数の凸部としての複数の凸条２が設けられている。複数の凸条２はボード本体１と一体的に成形され、例えば、互いに平行にボード本体１の短手方向に設けられている。ボード本体１は、その上面１ｂにペット（図に示さず）が載ることができるようになっている。ボード本体１の材質としては、熱伝導性の高いものであればよく、例えばアルミニウムが好ましいが、特に限定されるものではない。
【００３０】
ボード本体１の長手方向の両縁部は、図示のように下方に折り曲げられており、この折り曲げ部１ｃには、例えば短手方向の両端部下面（ボード本体１の下面１ａの四隅部分）に４つの脚部３が接着等の手段により固着されている。脚部３の材質としては、このペット用クールボードが接地される床面等を傷つけず、滑り難いものが好適であり、例えば、ゴム、合成樹脂等の弾性部材が好ましい。このように４つの脚部３が設けられることによって、ボード本体１の下面１ａ側には接地面との間に空間５が形成されると共に、各脚部３の間に開口部４（本実施の形態では４つ）が形成される。空間５は開口部４を介して外気と通じている。
【００３１】
図４は、本考案によるペット用クールボードを床面等の接地面６上に接地させた状態を示す部分拡大図である。図４に示すように、脚部３の下面（底面）が接地面６に接している状態では、凸条２の高さ（ボード本体１の下面１ａから凸条２の頂部までの高さ）ｈが、脚部３の高さ（接地面６からボード本体１の下面１ａまでの高さ）Ｈより小さく設定されているため、客部３が設置していれば、凸条２の頂部が接地面６に接触しないようになっている。このため、接地面６と下面１ａとの間には、連続した１つの空間５が形成され、空間５は開口部４を通じて外気と連通している。
【００３２】
図３及び図４に示すように、総ての凸条２を同一の高さｈで形成してもよいし、例えばボード本体１のうちペットの体が常に接するような中央部近傍の凸条２のみを高く、その他の部位の凸条２は低くする等して、放熱効率を考慮した高さｈに夫々設定するようにしてもよい。同様に、凸条２同士の間隔を、総て同一に設定してもよいし、ボード本体１の中央部近傍は間隔を狭く、その他の部位の凸条２は間隔を広くする等して、放熱効率を考慮した間隔に夫々設定するようにしてもよい。また、本実施の形態では、凸条２は接地面６に接しない構成を説明したが、凸条２の全部又は一部が接地面６に接地するように構成してもよい。
【００３３】
本考案によるペット用クールボードは上記のように構成されているので、ボード本体１の上面１ｂにペットが載ると、ペットの体がアルミニウム等の冷たいボード本体１に接触して、ペットの体温がボード本体１に吸熱され、ペットはひんやりと快適な清涼感を得ることができる。また、ボード本体１の上面１ｂ側においてペットから吸熱された熱が、下面１ａに伝導し、さらに凸条２に伝えられ、凸条２が放熱フィンとして機能することによって、ペットから吸収された熱を放熱し、ボード本体１を常に低温に保つことができる。この場合において、凸条２はボード本体１と一体形成されているため、熱伝導が遮断されず、効率的な放熱が可能となる。
【００３４】
また、ペットから吸収した熱が凸条２から空間５内の空気に放熱されるが、空間５は開口部４を通じて外気と連通していて通風性が非常によいので、空間５内の放熱により暖められた空気が外部に放出されるとともに冷えた外気が入り込み、常に空気循環が行われる。従って、ボード本体１は温まりにくく、ペットに長時間の清涼感を与えることができる。
【００３５】
また、凸条２はボード本体１の下面１ａに形成されてペットと触れ合うことがないために、凸条２の存在によってペットに不快感を与えることは一切なく、放熱の効率がよい寸法で凸条２を自由に形成することができる。さらに、放熱はボード本体１の下面１ａで行われるから、上面１ｂには放熱のための機構を特段設ける必要がなく、ボード本体１の上面１ａを平滑な面で構成しておけば、洗い残しの原因となる部分がなくなるため、清掃作業を簡単に行うことができる。
【００３６】
凸条２は接地しないため、ボード本体１の下面１ａ側の空間の空気循環がよくなり、放熱のための凸条２が常に冷えた空気に接して放熱可能となる結果、ボード本体１が常に低温に保たれるので、ペットに長時間快適な清涼感を与えることができる。
【００３７】
また、凸条２は互いに平行な構成としたので、ボード本体１と一体的な成形が容易となり、安価に提供することができると共に、複数の凸条２によりボード本体１を補強でき、堅固なものにすることができる。したがって、ボード本体１を薄く構成することによってペット用クールボードを全体として安価に製作することができる。
【００３８】
なお、本実施の形態によるペット用クールボードには、ボード本体１とは別体の脚部３が設けられる構成を説明したが、折り曲げ部１ｃの、例えば短手方向の両端部のみが設置するように構成することによって、脚部をボード本体１と一体形成してもよい。この場合、短手方向の両端部はさらに接地面６と平行に折り曲げることによって、接地面６との接触面積が大きくなるように構成してもよい。これによって、該脚部自体から周囲の空気や接地面６に対して放熱されることになり、放熱の効率を向上させることができるとともに、製造工程の短縮を図ることができる。
【００３９】
また、本実施の形態によるペット用クールボードは、高さＨがいずれの部位においても同一となるように、ボード本体１を平らに形成しているものを説明したが、例えば、ボード本体１の中央部の高さＨが低く、縁部に向って高さＨが漸次高くなるようにして、構成してもよい。このようにすることによって、ボード本体１下面側の空間５へ前記縁部から冷えた空気が入りやすくなり、また、冷気は下に暖気は上に集まる特性ともあいまって、空間５の空気循環がさらに向上されるとともに、特に全体として略皿状とした場合には、ペットの体の収まりがよくなる。
【００４０】
以上説明した第１の実施の形態における複数の凸部は、互いに平行な複数の凸条２であったが、図５及び図６に示すように、第２および第３の実施の形態に示す形状であってもよい。
【００４１】
図５に示すように、第２の実施の形態による複数の凸部は、ボード本体１の下面１ａに設けた複数の凸条２の１箇所以上に切欠部７を設けたものである。これにより、放熱部としての凸条２の表面積が増えてさらに放熱効果を増すことができる。
【００４２】
図６に示すように、第３の実施の形態による複数の凸部は、ボード本体１の下面１ａに複数の突起８を設けたものであり、放熱部としての凸部の表面積がさらに大きくなり、さらに放熱効果を増すことができる。突起８の形状としては、図６においては、四角形等の角柱状としているが、特にこれに限定されるものではなく、円柱状、円柱の先端部が曲面に形成されている形状のように、成形の容易な形状としてもよく、適宜採択可能である。
【００４３】
また、４つの脚部３は必ずしもボード本体１の四隅部分に配置しなくてもよく、他の位置に配置してもよい。また、脚部３の個数も４つに限定されるものではない。
【００４４】
さらに、複数の凸条２をボード本体１の長手方向と平行に設けてもよく、あるいは複数の凸条２をボード本体１の長手方向又は短手方向に対して斜めに設けてもよい。また、複数の凸条２を同心円状に設けてもよい。
【図面の簡単な説明】
【００４５】
【図１】本考案の第１の実施の形態によるペット用クールボードの外観斜視図である。
【図２】本考案のペット用クールボードを裏側から見た斜視図である。
【図３】本考案のペット用クールボードの正面図である。
【図４】本考案によるペット用クールボードを床面等の接地面６上に接地させた状態を示す部分拡大図である。
【図５】本考案の第２の実施の形態によるペット用クールボードの要部を示す拡大斜視図である。
【図６】本考案の第３の実施の形態によるペット用クールボードの要部を示す拡大斜視図である。
【符号の説明】
【００４６】
１  ボード本体
１ａ  ボード本体の下面
１ｂ  ボード本体の上面
１ｃ  ボード本体の折り曲げ部
２  凸条（凸部）
３  脚部
４  開口部
５  空間
６  接地面
７  切欠部
８  突起
９  凹部
【図１】
0003121950.tif 000003
【図２】
0003121950.tif 000004
【図３】
0003121950.tif 000005
【図４】
0003121950.tif 000006
【図５】
0003121950.tif 000007
【図６】
0003121950.tif 000008